(57)【特許請求の範囲】
【請求項１】
入力画像データを画像の視認方向における左側に画像欠落部を設けて画像の右側方向へシフトさせて左眼用画像データを得ると共に、前記入力画像データを画像の視認方向における右側に画像欠落部を設けて画像の左側方向へシフトさせて右眼用画像データを得る画像処理手段と、
前記得られた左眼用及び右眼用画像データをそれぞれ表示する左眼用及び右眼用画像表示デバイスと、
これらそれぞれ表示された左眼用及び右眼用画像データを、それぞれの画像欠落部が設けられている方向に光学的にシフトさせて、使用者の左右各眼の網膜に虚像として結像させる光学系と、
前記虚像における左眼用及び右眼用画像データの重なり部分画像に対応する前記左眼用画像データの部分画像における画像水平方向の１／２以上右の所定位置から前記左眼用画像データの画像右側端部にかけて画像の明るさを所定の減少カーブで低下させる左眼用輝度設定手段と、
前記重なり部分画像に対応する前記右眼用画像データの部分画像における画像水平方向の１／２以上左の所定位置から前記右眼用画像データの画像左側端部にかけて画像の明るさを前記所定の減少カーブで低下させる右眼用輝度設定手段と、
前記１／２以上右及び１／２以上左の各所定位置を入力する位置調整入力設定手段と、
前記所定の減少カーブに関する輝度傾斜を設定する輝度傾斜設定手段とを備え、
前記左眼用及び右眼用輝度設定手段を前記左眼用及び右眼用画像表示デバイスそれぞれの画像データ入力側に設けて構成したヘッドマウントディスプレイ装置。
【発明の詳細な説明】
【０００１】
【発明の属する技術分野】
本発明はヘッドマウントディスプレイ装置に係り、特に左右画像の重なり部の外側のエッジ付近に発生する黒沈み現象を軽減させることが出来るヘッドマウントディスプレイ装置に関する。
【０００２】
【従来の技術】
ビデオやＤＶＤを観賞するディスプレイとしてヘッドマウントディスプレイ（ＨＭＤ  フェイスマウントディスプレイＦＭＤともいわれている）が開発されている。
ＨＭＤは画像を表示するデバイス（素子）とそれが目で見えるようにするための光学系で構成されている。
【０００３】
ＨＭＤは見かけ上大画面の画像を鑑賞することができるが、高解像度にするには、画素の大きさはそのままで、パネルを大きくするか、パネルの大きさはそのままで、画素サイズを小さくする、またはその両方を行うなどの方法がある。
しかし、パネルを大きくすることは、コストアップや重量増につながりできるだけ避けたい。画素サイズを小さくすることは、技術的に難しいため容易に出来ない問題がある。
【０００４】
さらに、ＨＭＤでの画像観賞では首を振ったときに画面がそのままついて来るため、不自然さがあり、船酔い症状を起こすこともある。
船酔い症状を改善するには首ふり量に応じて電気的または光学的に首の動きと逆方向に画像をシフトする方法が考えられる。
【０００５】
電気的方法としては、表示画像より大きな表示エリアを有する表示パネルを用いてその中で表示画像を移動させる方法がある（特開平８−２２０４７０号）。しかしこの方法では本来必要とするものより大きな表示パネルを用いることになり、システムの大型化や、コストアップが避けられない。
【０００６】
また、光学的に画像をシフトする方法としては可変頂角プリズムを用いた方法や表示パネルと光学系の相対位置を機械的にシフトする方法など（特開平８−１７９２３９号）があるが、コストアップの他にシフト量があまり大きくとれない、重くなるなどの問題がある。
【０００７】
以上の問題を解決した発明者によるＨＭＤ装置を特願２００２−０８０２８７号により提案した（図１０参照）。
この提案のＨＭＤ装置は、使用者の頭部に装着可能であり、入力画像信号が供給されてその入力画像を表示する画像表示デバイス１１と、前記画像表示デバイスに表示される画像を前記使用者の視野内に結像させる光学系１２，１４，１５とを有するＨＭＤ装置において、
前記使用者の首の左右振りの角度を検出する角度センサ１９と、
前記入力画像信号が供給されて前記画像表示デバイスに表示される画像の画像表示位置を左目用は右方向に右目用は左方向にシフトさせるシフト量を決定すると共に、前記検出した角度信号が供給された場合には前記視野内に結像させる画像の画像表示位置を前記首の左右振りの角度に対応して前記首の振り方向と逆方向に移動させる移動量を演算する演算部（コントローラ）１３と、
前記演算部１３の出力が供給され、前記各画像表示デバイス１１を駆動する駆動回路と、
前記シフト量に比例して左目用は左方向に右目用は右方向にシフトさせ、前記視野内に結像される各画像の画像表示位置にて、両目によってはじめて前記画像全体が見えるように前記光学系１２，１４，１５を調整する画像表示位置調整手段２２とを備えて構成したものである。
【０００８】
しかしながら、このＨＭＤ装置においては、ＨＭＤ装置で画像を観賞する場合、左右の目で重なって見える重なり画像部の両外側のエッジ付近に黒沈みが発生するのが左右の目で認識される。
この黒沈み現象を図１０の「頭の中で合成された画像Ｃ」の中に模式的に示した。
【０００９】
エッジ付近に黒沈み現象が発生し、重なり画像部の境界付近が暗く見えるのは、画像の切れる部分が（画像のない部分が）急に黒に落ちているためで、この境界を目が感じてしまうためと考えられる。
【００１０】
この装置においては、左右画像（図１０のＡ，Ｂの画像）の重なり部の外側のエッジ付近に黒沈み現象がみられ、これが人によっては気になってしまい、自然な画像鑑賞が出来ないという問題がある。
【００１１】
この問題に鑑みて本発明はなされたものであり、左右の目で重なって見える重なり画像部の両外側のエッジ付近に発生する黒沈み現象を軽減し、より自然な画像鑑賞を可能にする装置を提供するものである。
【００１２】
【課題を解決するための手段】
上記課題を解決するために、
請求項１に記載された発明は、
入力画像データを画像の視認方向における左側に画像欠落部を設けて画像の右側方向へシフトさせて左眼用画像データを得ると共に、前記入力画像データを画像の視認方向における右側に画像欠落部を設けて画像の左側方向へシフトさせて右眼用画像データを得る画像処理手段１３と、
前記得られた左眼用及び右眼用画像データをそれぞれ表示する左眼用及び右眼用画像表示デバイス１１Ｌ，１１Ｒと、
これらそれぞれ表示された左眼用及び右眼用画像データを、それぞれの画像欠落部が設けられている方向に光学的にシフトさせて、使用者の左右各眼の網膜に虚像として結像させる光学系１２，１４，１５，２２と、
前記虚像における左眼用及び右眼用画像データの重なり部分画像に対応する前記左眼用画像データの部分画像における画像水平方向の１／２以上右の所定位置から前記左眼用画像データの画像右側端部にかけて画像の明るさを所定の減少カーブで低下させる左眼用輝度設定手段２４（Ｅ）Ｌと、
前記重なり部分画像に対応する前記右眼用画像データの部分画像における画像水平方向の１／２以上左の所定位置から前記右眼用画像データの画像左側端部にかけて画像の明るさを前記所定の減少カーブで低下させる右眼用輝度設定手段２４（Ｅ）Ｒと、
前記１／２以上右及び１／２以上左の各所定位置を入力する位置調整入力設定手段１６と、
前記所定の減少カーブに関する輝度傾斜を設定する輝度傾斜設定手段２０とを備え、
前記左眼用及び右眼用輝度設定手段を前記左眼用及び右眼用画像表示デバイスそれぞれの画像データ入力側に設けて構成したヘッドマウントディスプレイ装置を提供するものである。
【００１３】
【発明の実施の形態】
本発明のヘッドマウントディスプレイ装置の実施の形態つき、好ましい実施例により、以下に図と共に説明する。
図１は本発明のヘッドマウントディスプレイ装置の構成を示した図である。
【００１４】
図１及び図２に示される本実施例のヘッドマウントディスプレイ装置（ＨＭＤ）は、液晶表示デバイス（パネル、画像表示デバイス）１１Ｌ，１１Ｒ、レンズ１２Ｌ，１２Ｒ、演算部（コントローラ）１３、ガラス１４Ｌ，１４Ｒ、ミラー１５Ｌ，１５Ｒ、位置調整入力手段１６、駆動回路（ドライバ）１７Ｌ，１７Ｒ、映像入力手段１８、角度センサ１９、眼鏡フレーム２１、位置調整ツマミ（ネジ）２２、及び減光フィルタ２４（０）Ｌ，２４（０）Ｒより構成されている。
【００１５】
図1は、顔の横に表示パネルを設置し、レンズで拡大した画像をそれぞれの目のほぼ正面に位置したミラー１５で反射させて見る構造のＨＭＤである。
遠方を見た時、目の正面にパネルの中心はなく、左目用は左方向に、右目用は右方向にオフセットされている。
【００１６】
入力された画像は駆動回路により画面が光学系とは逆方向にオフセットされていて、約２ｍ前方を見たとき左右の表示された画像の重複する部分がぴったり一致して見えるように調整されている。
【００１７】
液晶表示デバイス（素子）１１に表示された画像の目に見えている様子を図１に示す。パネル上の表示画像でハンチング部は何も表示されていない（黒表示）部分である。
左右それぞれの目には端の欠落した画像が見えているが、使用者の頭脳で合成されあたかも完全な像が表示されているように見える。
【００１８】
図２に首を振った時の表示画像を示す。フレームの所定の位置に加速度センサーが取り付けられていて、振り角に対応して表示画像がパネル上を移動するよう、駆動回路に信号が送られる。
【００１９】
図では首を左に振ったときの動きを示す。パネル上の画像は右に移動し見かけ上止まって見える。電気的方法では移動量に制限はなく、画像が視界から消えるまでの移動も可能であるが、適度にリミッタを設けている。
【００２０】
同様に上下方向についても補正可能である。図１では上下はパネルの表示エリアいっぱいに画像が表示されているため、シフトすると像が欠けて見えることになる。しかし画像が移動して見えるよりは好ましい結果となり、船酔い現象の防止になる。
【００２１】
また、例えば４：３のパネルにＤＶＤなどの１６：９の画像を表示した場合は上下に無表示部分が出来るため、この場合は画像の欠落なしに補正が可能である。
【００２２】
本発明では左右の目で見える画像の一部が重なっているが、２台のプロジェクタ画像をスクリーンに投影した場合とは異なり、重なった部分の明るさが２倍に見えることはなく同じに見える。
【００２３】
これは人間の目の特性であるが、むしろ重なり部分と重ならない部分の境界部が暗く見える（黒い影があるように見え、これを黒沈み現象と呼ぶことにする）。
この感覚は個人差が大きく、気にならない人は問題ないが、気にすると満足な観賞が出来ない場合が生ずる。
【００２４】
本発明のヘッドマウントディスプレイ装置はこの黒沈み現象を改善出来るように構成したものである。
重なりの境界付近が暗く見えるのは、画像の切れる部分が（画像のない部分が）急に黒に落ちているためで、この境界を目が感じてしまうためと考えられている。
よって、この黒沈みの発生問題を改善するには画像欠落部のエッジ付近が急に暗くならないようにすることである。
【００２５】
図３に本発明のヘッドマウントディスプレイ装置の黒沈み現象を改善出来る構成の一実施例を示す。
図３は本発明のヘッドマウントディスプレイ装置を光学的に補正する場合の一実施例を示したものである。
【００２６】
図３は、画像の重なり部の中央の位置（もしくは画像の重なり部の１／２以下の所定の位置）からエッジに向かって透過率１００％から１０パーセント以下まで変化する減光フィルタ２４（Ｏ）を、透過型液晶表示パネルの表示パネル１１とバックライト２５との間に左右ユニットのそれぞれに挿入する。
【００２７】
ここでは左目用の減光フィルタ２４（Ｏ）Ｌだけを示した。左目用の減光フィルタ２４（Ｏ）Ｌとは左右対称に構成される右目用の減光フィルタ２４（Ｏ）Ｒはこれを省略した。
この減光フィルタ２４（Ｏ）は表示パネル１１の前面に置いてもよい。自発光式表示パネルでは表示パネル１１の前に減光フィルタ２４（Ｏ）を置くことになる。
【００２８】
光学的に補正するための減光フィルタ２４（Ｏ）は具体的には図８（Ａ）のように構成されている。
ＯＤ１（透過率１／１０）の平板を傾斜させてカットした減光フィルタ２４（Ｏ）をバックライト２５と液晶パネル１１との間に挿入する。
挿入のさせ方は左右目のプラスチックフィルタ２４（Ｏ）Ｌ，２４（Ｏ）Ｒは対称的に配置される。
【００２９】
プラスチックフィルタ２４（Ｏ）の取付け位置は、左右目の重なり画像部分が表示される液晶パネル１１の表示位置に、例えば、左目用のプラスチックフィルタ２４（Ｏ）Ｌの取付け位置は、左目用の液晶パネル１１Ｌの表示位置に一致させる。
【００３０】
つぎに本発明のヘッドマウントディスプレイ装置を電気的に補正する場合の一実施例について図６、図９と共に説明する。
図６は本発明のヘッドマウントディスプレイ装置の電気的手段で行う場合の具体的なブロック構成の一実施例を示した図であり、図９は本発明の一実施例で使用される輝度設定手段の特性αのカーブを左右の各画面と対応付けて示した一実施例を示した図である。
【００３１】
重なり部分の画像幅の中央の位置（もしくは重なり部分の画像幅の１／２以内の所定の位置）からエッジまでの画像信号に掛ける係数αを設定する輝度設定手段２４（Ｅ）Ｌ、２４（Ｅ）Ｒについて説明する。
【００３２】
輝度設定手段２４Ｅは位置調整入力設定手段１６と輝度傾斜設定手段２０とを有して構成される。輝度設定手段２４Ｅは演算部１３とパネル１１を駆動するドライバ１７との間に挿入されている。
【００３３】
輝度設定手段２４Ｅの設定に関しては、重なり部分の画像幅の中央（もしくは１／２以内）の所定の位置は位置調整入力設定手段１６により設定される。
また、重なり部分の画像幅の輝度傾斜は輝度傾斜設定手段２０により設定される。
【００３４】
前記設定位置からエッジに向かっての輝度に、輝度傾斜設定手段２０、輝度設定手段２４（Ｅ）Ｌ，２４（Ｅ）Ｒにより係数αを設定して輝度傾斜を付ける（図９参照）。
輝度設定手段２４（Ｅ）Ｌ，２４（Ｅ）Ｒの特性は図９のＰＧＡ及びＰＧＢに、それぞれ一実施例を図示した。
【００３５】
左目用輝度設定手段２４（Ｅ）Ｌは左右の目で重なって見える重なり画像部分の画像幅の略中央の図９のＰＬ１で示した位置から前記重なり画像部分の右側のエッジ、図９のＰＬ２で示した位置に向かって画像の明るさが右側の位置ほど連続して低下するように設定する。
【００３６】
また、右目用輝度設定手段２４（Ｅ）Ｒは左右の目で重なって見える重なり画像部分の画像幅の略中央の図８のＰＲ１で示した位置から前記重なり画像部分の左側のエッジ、図９のＰＲ２で示した位置に向かって画像の明るさが左側の位置ほど連続して低下するように設定する。
【００３７】
この場合、輝度の変化量は１００パーセントから１０パーセント程度でよいが、図示しない可変機構を付加して最適に調整することが出来る。
また、輝度低下の開始位置は重なり部の画像の画像幅の中央位置もしくは１／２以下の位置であれば表示画像の中心に影が見えることはないが、画像の重なり量に応じて調整すれば、個人差（光学系の視野角に余裕がない場合、目幅によって重なり量が変わる場合がある）の補正も容易に出来る。
【００３８】
なお、輝度低下の開始位置が重なり画像部の画像幅の１／２以上の位置であれば、左右の画像に施されたそれぞれの輝度傾斜部分が一部重なってしまい、その重なった共通部分となる表示画像の中心部分に影が見えるようになってしまうので、輝度低下の開始位置は画像幅の中央の位置もしくは１／２以下の位置にする。
【００３９】
なお、図８（Ｂ）に示される予め作成された画像を演算部１３の出力のソース入力に合成してその出力をドライバ１７に供給するようにして輝度設定手段２４（Ｅ）を構成してもよい。
【００４０】
【発明の効果】
以上に説明した通り、請求項１に記載された発明により、画像処理手段の出力の左眼用及び右眼用画像データを左右眼用輝度設定手段にそれぞれ供給することにより、左右画像の重なり部の外側のエッジ付近に発生する黒沈み現象を軽減することが出来、より自然な画面での画像鑑賞を可能にすることが出来る。
【００４２】
特別な機構を光学系に付加する必要がないばかりかパネルの大型化不要なため、光学系が小さくできる。したがって、重量増加もなく装着感を害することがない。
また小型でファッション性を損なうことのないシステムが出来る。
【図面の簡単な説明】
【図１】本発明のヘッドマウントディスプレイ装置の一実施例と動作原理を説明した図である。
【図２】本発明のヘッドマウントディスプレイ装置の一実施例と動作原理を説明した図である（首を左に振った時の見え方）。
【図３】本発明のヘッドマウントディスプレイ装置の光学的改善方法による減光フィルタの構成を示した図である。
【図４】本発明のヘッドマウントディスプレイ装置の電気的改善方法による輝度設定手段の構成を示した図である。
【図５】本発明のヘッドマウントディスプレイ装置の光学手段で行う場合の具体的なブロック構成の一実施例を示した図である。
【図６】本発明のヘッドマウントディスプレイ装置の電気的手段で行う場合の具体的なブロック構成の一実施例を示した図である。
【図７】本発明のヘッドマウントディスプレイ装置の一実施例を示した図である。
【図８】本発明のヘッドマウントディスプレイ装置の一実施例で使用される減光フィルタ、輝度設定手段の一実施例を示したものである。
【図９】本発明のヘッドマウントディスプレイ装置の一実施例で使用される輝度設定手段の特性αのカーブを左右の各画面と対応付けて示した一実施例を示した図である。
【図１０】黒沈み現象が発生するヘッドマウントディスプレイ装置の一例を示した図である。
【符号の説明】
１１Ｌ，１１Ｒ  液晶表示デバイス（液晶表示素子、画像表示デバイス、パネル）
１２Ｌ，１２Ｒ  レンズ
１３  演算部（コントローラ）
１４Ｌ，１４Ｒ  ガラス
１５Ｌ，１５Ｒ  ミラー
１６  輝度傾斜開始位置設定手段（位置調整入力手段）
１７Ｌ，１７Ｒ  液晶表示デバイス駆動回路（ドライバ）
１８  映像入力手段
１９  角度センサ
２０  輝度傾斜設定手段
２１  眼鏡フレーム
２２  画像表示位置調整ツマミ（ネジ）（画像表示位置調整手段）
２３  表示ユニット
２４（０）Ｌ  左目用減光フィルタ
２４（０）Ｒ  右目用減光フィルタ
２４（Ｅ）Ｌ  左目用輝度設定手段
２４（Ｅ）Ｒ  右目用輝度設定手段
２５  バックライトユニット
α  輝度係数
【図１】
0003849574.tif 000002
【図２】
0003849574.tif 000003
【図３】
0003849574.tif 000004
【図４】
0003849574.tif 000005
【図５】
0003849574.tif 000006
【図６】
0003849574.tif 000007
【図７】
0003849574.tif 000008
【図８】
0003849574.tif 000009
【図９】
0003849574.tif 000010
【図１０】
0003849574.tif 000011